(57)【要約】【課題】浴室壁パネルの面板部の反りを防止して鏡との間に隙間が生じないようにできる。鏡の取付けが簡単且つ正確にできる。【解決手段】枠体部１の前面に面板部２を設けた浴室壁パネル３により構成する。補強板部４の左右両側端部に縦枠部５を形成した壁パネル補強部材６を構成する。壁パネル補強部材６を上記浴室壁パネル３の面板部２の前面に固着する。壁パネル補強部材６の左右両側端部の縦枠部５の前面に、横長さ、縦長さがそれぞれ壁パネル補強部材６の横長さ、縦長さと等しい又は略等しい鏡７の左右両側端部の後面を固着する。【選択図】図１
2009153604.tif 000002
【特許請求の範囲】
【請求項１】
浴室の壁を、枠体部の前面に面板部を設けた浴室壁パネルにより構成し、補強板部の左右両側端部に縦枠部を形成した壁パネル補強部材を構成し、該壁パネル補強部材を上記浴室壁パネルの面板部の前面に固着し、壁パネル補強部材の左右両側端部の縦枠部の前面に、横長さ、縦長さがそれぞれ壁パネル補強部材の横長さ、縦長さと等しい又は略等しい鏡の左右両側端部の後面を固着して成ることを特徴とする浴室の壁への鏡の取付け構造。
【請求項２】
壁パネル補強部材の左右両側端部の縦枠部にそれぞれ上下方向の３箇所以上を固着具により固着して成ることを特徴とする請求項１記載の浴室の壁への鏡の取付け構造。
【発明の詳細な説明】
【技術分野】
【０００１】
本発明は、浴室の壁を構成する浴室壁パネルに、鏡を取付けるための技術に関するものである。
【背景技術】
【０００２】
従来、浴室の壁を構成する浴室壁パネルの前面に鏡を取付けるには、通常、断面コ字状をした取付けフレームを用いて鏡を取付けていた。
【０００３】
すなわち断面コ字状をした取付けフレームを浴室壁パネルの前面に取付けると共に、該断面コ字状をした取付けフレームに鏡の上下両端部を嵌め込んで取付けていた。
【０００４】
ところが、浴室内は温度差が大きく、このため、浴室壁パネルは温度変化による伸縮で反りが発生しやすく、特に、枠体の前面に面板部を設けた浴室壁パネルにおいては、枠体で支持してない中央部分に反りが発生しやすい。このため、浴室壁パネルの面板部と鏡との間に隙間が生じて外観が悪くなるという問題があった。また、断面コ字状をした取付けフレームに鏡の上下両端部を嵌め込んで取付けるため、鏡が取付けフレームに対して左右方向にずれるという問題があった。
【０００５】
また、他の従来例として、上記のように断面コ字状をした取付けフレーム２４に鏡７の上下両端部を嵌め込んで取付けたものにおいて、鏡７の取付け強度を増し、鏡７が左右方向にずれるのを防止するものとして特許文献１が提案されている。
【０００６】
この特許文献１は、図４に示すようなもので、内方に延設された押え枠部２０、外方に延設された取付け枠部２１を有する枠体２２を上下、左右４個用意し、枠体２２の枠押え枠部２０により鏡７の周縁部の前面を押さえ、枠体２２の取付け枠部２１を鏡７の周囲の浴室の壁２３に取付けるようになっている。
【０００７】
しかしながら、この従来例にあっては、取付けフレーム２４と、枠体２２という２種類の取付け部材が必要であり、また、最初に鏡７を取付ける部材である一対の取付けフレーム２４を１つ１つ別々に取付けねばならないので一対の取付けフレーム２４の取付けに手間がかかると共に、補強のための枠体２２も４個別々に取付ける必要があり、施工が煩雑で取付けに手間がかかり、また、各部材の取付け位置に精度が要求され、また、図４に示すように取付けフレーム２４による取付け部分よりも内側の鏡７の前面を押え枠部２０で押えるため、鏡７の前面の利用可能な面積が狭くなるという問題がある。また、上記従来例にあっては、枠体２２を壁２３に取付ける部分である取付け枠部２１が、鏡７の外周を取り囲むように露出して外観がよくないという問題がある。
【特許文献１】実開平６−０３８７３８号公報
【発明の開示】
【発明が解決しようとする課題】
【０００８】
本発明は上記の従来の問題点に鑑みて発明したものであって、浴室壁パネルの面板部の反りを防止して鏡との間に隙間が生じないようにでき、しかも、鏡の取付けが簡単且つ正確にできる浴室の壁への鏡の取付け構造を提供することを課題とするものである。
【課題を解決するための手段】
【０００９】
上記課題を解決するために本発明に係る浴室の壁への鏡の取付け構造は、浴室の壁を、枠体部１の前面に面板部２を設けた浴室壁パネル３により構成し、補強板部４の左右両側端部に縦枠部５を形成した壁パネル補強部材６を構成し、該壁パネル補強部材６を上記浴室壁パネル３の面板部２の前面に固着し、壁パネル補強部材６の左右両側端部の縦枠部５の前面に、横長さ、縦長さがそれぞれ壁パネル補強部材６の横長さ、縦長さと等しい又は略等しい鏡７の左右両側端部の後面を固着して成ることを特徴とするものである。
【００１０】
このような構成とすることで、補強板部４の左右両側端部に縦枠部５を形成した壁パネル補強部材６により浴室壁パネル３の面板部２を補強でき、これにより浴室内の温度変化による浴室壁パネル３の面板部２の鏡７の取付け部分の剛性を向上させて、壁パネル補強部材６により鏡７取付け部分の反りを防止できる。しかも、壁パネル補強部材６は補強板部４の左右両側端部に縦枠部５を形成し、壁パネル補強部材６の左右両側端部の縦枠部５の前面に、横長さ、縦長さがそれぞれ壁パネル補強部材６の横長さ、縦長さと等しい又は略等しい鏡７の左右両側端部の後面を固着するものであるから、左右の縦枠部５間の寸法が一定であり、１つの壁パネル補強部材６を面板部２の前面に取付けるのみで、その壁パネル補強部材６の前面にぴったりと収まりよく鏡７を取付けることができ、壁パネル補強部材６が鏡７により覆われて収まりがよいと共に施工性が向上することになる。
【００１１】
また、壁パネル補強部材６の左右両側端部の縦枠部５にそれぞれ上下方向の３箇所以上を固着具８により固着することが好ましい。
【００１２】
このような構成とすることで、縦枠部５の上下方向の３箇所以上が面板部２に固着されて、鏡７の取付け部分における面板部２の部位が上下方向において反るのを補強板部４で一体に連設された左右の縦枠部５により確実に抑制することができる。
【発明の効果】
【００１３】
本発明は、上記のように補強板部の左右両側端部に縦枠部を形成した壁パネル補強部材を構成し、該壁パネル補強部材を上記浴室壁パネルの面板部の前面に固着し、壁パネル補強部材の左右両側端部の縦枠部の前面に、横長さ、縦長さがそれぞれ壁パネル補強部材の横長さ、縦長さと等しい又は略等しい鏡の左右両側端部の後面を固着したので、壁パネル補強部材により浴室壁パネルの面板部の鏡取付け部分を補強して、この部分の反りを防止して鏡との間に隙間が生じないようにできるものであり、しかも、１つの壁パネル補強部材を取付けることで簡単且つ正確に鏡の取付けができるという効果がある。
【発明を実施するための最良の形態】
【００１４】
以下、本発明を図１乃至図３に示す実施形態に基いて説明する。
【００１５】
本発明における浴室の壁とは浴室ユニットに用いられる浴室壁パネル３のことであり、浴室壁パネル３は、枠体部１の前面に面板部２を設けた浴室壁パネル３により構成してある。
【００１６】
ここで、浴室壁パネル３は、一枚の金属板の外端部をコ字状又はＬ字状等に折り曲げて、該金属板の外端部の折り曲げ部を枠体部１とし、金属板の枠体部１に囲まれた部分を面板部２とすることで浴室壁パネル３を構成したものや、あるいは、合成樹脂により面板部２と外端部の枠体部１とを一体に形成したものや、あるいは、矩形状をした枠体部１の前面に、枠体部１とは別体の合成樹脂製、金属製などの面板部２を一体に固着することで浴室壁パネル３を構成したもの等を採用することができる。
【００１７】
上記浴室壁パネル３は浴室ユニットにおける壁を構成するものであり、床パンの外端部に設けた壁パネル載置部（図示せず）に上記浴室壁パネル３を立設し、浴室壁パネル３で囲まれた部分の上端部に天井パネル（図示せず）を配設して浴室壁パネル３の上端部と天井パネルの外端部とを連結固着することで、浴室ユニットを構成するようになっている。
【００１８】
上記の浴室ユニットにおいて、洗い場部分に配設される任意の浴室壁パネル３の面板部２の任意の位置には鏡７が取付けられる。
【００１９】
本発明においては、この浴室壁パネル３の面板部２の鏡７の取付け位置の前面（表面）には、面板部２が浴室内の温度変化により反りが生じるのを抑制するように壁パネル補強部材６を取付け、該壁パネル補強部材６の前面側に鏡７を取付けるようにしている。
【００２０】
壁パネル補強部材６は図２に示すように、補強板部４の左右両側端部に上下方向の全長にわたって縦枠部５を形成したもので剛性を有している。該壁パネル補強部材６は全体が１つの金属材により構成してあり、一枚の長方形状の金属板の補強板部４となる部分の左右両端部をコ字状に折り曲げて縦枠部５を一体に形成したもの、あるいは、アルミニュームの押出により面板部２の左右両側端部に縦枠部５を有する補強板部４を一体に形成したもの等である。
【００２１】
このような補強板部４の左右両側端部に縦枠部５を形成した壁パネル補強部材６を、浴室壁パネル３の面板部２の鏡７を取付けようとする部位の前面（表面）に固着具８により固着することで、浴室壁パネル３の面板部２の鏡７を取付けようとする部位の補強を行い、この鏡７取付け部位が浴室内の温度変化により反るのが防止されるようになっている。
【００２２】
上記補強板部４を面板部２に固定するには、例えば、壁パネル補強部材６の左右両端部に設けた縦枠部５の上下方向の３箇所以上をねじ具のような固着具８により固着する。この場合、縦枠部５の上下方向の上端部、下端部、中間部の３箇所は必ず固定する。
【００２３】
断面コ字状をした縦枠部５の後片に固着具８の頭部よりも小径の取付け孔１０を設けると共に、縦枠部５の前片に固着具８の頭部よりも大径の挿通孔１１を形成し、挿通孔１１から挿入した固着具８を取付け孔１０に挿入してドライバーなどで固着するものである。
【００２４】
壁パネル補強部材６の前面側に取付けられる鏡７は、横長さ、縦長さがそれぞれ壁パネル補強部材６の横長さ、縦長さと等しい又は略等しい大きさ、形状をしたものを用いる。
【００２５】
該鏡７を、浴室壁パネル３の面板部２の前面に固着した壁パネル補強部材６の前面に配設して、任意の取付け手段により取付ける。例えば、粘着剤、接着剤、両面粘着テープ等を用いて取付けることができる。
【００２６】
このように、面板部２の鏡７の取付け部位の前面に壁パネル補強部材６を固着して面板部２の剛性を高めているので、浴室内の温度変化で面板部２の鏡７の取付け部分の反りを防止することができ、したがって、鏡７と面板部２との間に面板部２の反りによる隙間が生じることがなくなる。また、壁パネル補強部材６は補強板部４の左右両側端部に縦枠部５を形成し、壁パネル補強部材６の左右両側端部の縦枠部５の前面に、横長さ、縦長さがそれぞれ壁パネル補強部材６の横長さ、縦長さと等しい又は略等しい鏡７の左右両側端部の後面を固着するものであるから、左右の縦枠部５間の寸法が一定であり、１つの壁パネル補強部材６を面板部２の前面に取付けるのみで、その壁パネル補強部材６の前面にぴったりと収まりよく鏡７を取付けることができ、施工性が向上する。
【００２７】
また、必要に応じて、断面Ｌ状をした縁材９の前片９ａを鏡７の前面の外端部に粘着剤、接着剤、両面粘着テープ等を用いて取付け、縁材９の後片９ｂにより鏡７の端面及び壁パネル補強部材６の外端部を覆うようにしてもよい。この場合、縁材９としては上下左右の４本の縁材９を用いる。
【００２８】
このように、縁材９で、鏡７の外端部や壁パネル補強部材６の外端部が露出しないようにして外観をよくすることができる。この場合、縁材９の前片９ａは、鏡７の前面の外端部を覆う構造であるため、図４に示す従来例のように取付けフレーム２４による取付け部分よりも内側の鏡７の前面を押え枠部２０で押えるものに比べて、鏡７の有効利用面積を広く確保することが可能となる。
【図面の簡単な説明】
【００２９】
【図１】本発明の浴室壁パネルの面板部の前面を補強して鏡を取付けた状態の断面図である。
【図２】同上の分解斜視図である。
【図３】同上の斜視図である。
【図４】従来例の断面図である。
【符号の説明】
【００３０】
１  枠体部
２  面板部
３  浴室壁パネル
４  補強板部
５  縦枠部
６  壁パネル補強部材
７  鏡
８  固着具
【図１】
2009153604.tif 000003
【図２】
2009153604.tif 000004
【図３】
2009153604.tif 000005
【図４】
2009153604.tif 000006